(57)【要約】    【課題】  磨耗や傷に強いかけ面を有するアイロンを提供する。    【解決手段】  ベース３の底面には、かけ面部材100が具備され、該かけ面部材100に固着された締結部材101によりベース３と密着している。かけ面部材100は、熱伝導性の良い金属プレートからなり、かけ面102表面にはボロンを分散含有した複合メッキ皮膜103を形成している。複合メッキ皮膜103は、ニッケル（Ｎｉ）とリン（Ｐ）をとの合金皮膜からなるニッケル・リンメッキ104と、ボロン（Ｂ）微粒子を分散含有するニッケル皮膜からなるニッケル・ボロンメッキ105とから構成される。かけ面部材100に複合メッキ皮膜103を形成することにより、かけ面102の表面硬度がビッカース硬さ約７００となり、磨耗や傷に強いかけ面とすることができる。【選択図】  図５
2006015054.tif 000002
【特許請求の範囲】
【請求項１】
ベースを備えたアイロンにおいて、ボロンを含有する皮膜を形成した部材を前記ベースに設けたことを特徴とするアイロン。
【請求項２】
前記部材は熱伝導性の金属プレートからなることを特徴とする請求項１記載のアイロン。
【請求項３】
前記熱伝導性の金属プレートをアルミニウム又は銅としたことを特徴とする請求項２記載のアイロン。
【請求項４】
前記部材をダイカスト品としたことを特徴とする請求項１記載のアイロン。
【発明の詳細な説明】
【技術分野】
【０００１】
本発明は、衣類などのプレス仕上げに使用するアイロンに関する。
【背景技術】
【０００２】
従来のアイロンとして特許文献１に開示されるようなものがある。この種のアイロンについて、図12に基づき説明すると、１はアイロン本体であり、このアイロン本体１は加熱手段としてのヒータを埋設したベース３を下部に備えている。ベース３は、アルミニウムダイカスト加工により形成され、当該アイロン底面所謂かけ面102には滑りを良くするため例えばフッ素樹脂などの樹脂コートが施されている。ベース３の内部には、ヒータの近傍に位置して蒸気室すなわち気化室が形成され、この気化室に連通する噴出孔がベース３の下面に設けられ、噴出孔からスチームを噴出させる構成となっている。また、８はベース３の上部に設けられたカバーであり、９はカバー８の上方に設けられたハンドルであり、ハンドル９の前方には、水タンクに相当する容器たるカセットタンク10がアイロン本体１に対し、着脱可能に設けられる。
【０００３】
カセットタンク10は、例えば合成樹脂で形成され、上面から見た形状が略Ｕ字状で、その両側がハンドル９の前端部側から後端部側の両端にかけて跨るように配置されている。11は、カセットタンク10の前部に設けられた開閉自在な注水口蓋であり、ここからカセットタンク10内に水を収容し、かつ、カセットタンク10内の不用水を廃棄できるようになっている。また、カセットタンク10のロック機構は、ハンドル９の一側面にやや突出して、タンクロック釦12が設けられており、このタンクロック釦12を操作することにより、カセットタンク10の係止，解除を行なう。
【０００４】
しかし、上記従来のアイロンでは、ベース３のかけ面102にフッ素樹脂などの樹脂コートがされているが、磨耗や傷つき易いという問題があった。この解決手段として、かけ面102をステンレスやニッケル（Ｎｉ）メッキにしたものがある。
【特許文献１】特開２００３−２６５８９８号公報
【発明の開示】
【発明が解決しようとする課題】
【０００５】
しかしながら、ステンレスの表面硬度はビッカース硬さ（Ｈｖ）約２００であり、ニッケルメッキの表面硬度はビッカース硬さ約４００であるが、まだ十分な硬度ではなく、磨耗や傷つき易いという問題があった。
【０００６】
そこで本発明は上記問題点に鑑み、磨耗や傷に強いかけ面を有するアイロンを提供することを目的とする。
【課題を解決するための手段】
【０００７】
本発明の請求項１では、ベースにボロンを含有するメッキ皮膜を形成した部材を設けているため、かけ面の表面硬度が大幅に強化され、磨耗や傷に強いかけ面とすることができる。
【０００８】
本発明の請求項２では、前記部材を熱伝導性の良い金属プレートとしているため、ベースとの温度差が生じにくく、かけ面温度をアイロンの設定温度と略同じにすることができる。
【０００９】
本発明の請求項３では、熱伝導性の良い金属プレートを一般的なアルミニウム，銅とすることによりコストをかけずに耐磨耗，耐傷付きにすぐれたアイロンを提供できる。
【００１０】
本発明の請求項４では、前記部材をダイカスト品にすることによりベースとの締結に用いる締結部材を前記部材と一体化することができコスト低減ができる。
【発明の効果】
【００１１】
本発明の請求項１によると、耐磨耗，耐傷付きに優れたアイロンを提供することができる。
【００１２】
本発明の請求項２によると、耐磨耗，耐傷付きに優れたアイロンを提供することができると共に、かけ面の温度変化を少なくすることができ、アイロン掛けの際に衣服のしわの伸び良好となる。
【００１３】
本発明の請求項３によると、コストを掛けずに耐磨耗，耐傷付きに優れたアイロンを提供することができる。
【００１４】
本発明の請求項４によると、コストを掛けずに耐磨耗，耐傷付きに優れたアイロンを提供することができる。
【発明を実施するための最良の形態】
【００１５】
以下、添付図面を参照しながら、本発明におけるアイロンの好ましい実施例を説明する。なお、これらの実施例において、従来例と同一箇所には同一符号を付し、共通する部分の説明は重複するため極力省略する。
【００１６】
まず、全体構成を図１乃至図４に基づき説明すると、１はアイロン本体であり、このアイロン本体１は加熱手段としてのヒータ２を埋設したベース３を下部に備えている。ベース３の底面には、図５で示すように、かけ面部材100が具備され、該かけ面部材100に固着された締結部材101によりベース３と密着している。かけ面部材100は、熱伝導性の良い金属プレートからなり、かけ面102表面にはボロンを分散含有した複合メッキ皮膜103を形成している。かけ面部材100を熱伝導性の良い金属プレートとすることで、ベース３の熱が良好にかけ面部材100に伝達し、かけ面102とベース３との温度差が生じにくい。すなわち、かけ面102の温度とアイロンの設定温度とを略同じにすることができる。従って、かけ面102の温度変化を少なくすることができ、アイロン掛けの際に衣服のしわの伸び良好となる。なお、熱伝導性の良い金属プレートを例えばアルミニウム，銅などの一般的な材料とすることによりコストを低く抑えることができる。また、かけ面部材100をダイカスト品にしてもよく、この場合締結部材101をかけ面部材100と一体化することができコスト低減ができる。
【００１７】
図５の拡大断面図で示すように、複合メッキ皮膜103は、ニッケル（Ｎｉ）とリン（Ｐ）との合金皮膜からなるニッケル・リンメッキ104と、ボロン（Ｂ）微粒子を分散含有するニッケル皮膜からなるニッケル・ボロンメッキ105とから構成される。例えばドブ漬けなどの周知のメッキ工程により、少なくともかけ面102全体がメッキされるように、かけ面部材100にニッケル・リンメッキ104とニッケル・ボロンメッキ105とを順次メッキして行き、２層の複合メッキ皮膜103を形成する。このとき、複合メッキ皮膜103の膜厚は、ニッケル・リンメッキ104とニッケル・ボロンメッキ105の２層合わせて１０ミクロン（μｍ）以上となるよう形成するのが好ましい。かけ面部材100に複合メッキ皮膜103を形成することにより、かけ面102の表面硬度がビッカース硬さ約７００以上とすることができ、磨耗や傷に強いかけ面とすることができる。
【００１８】
かけ面部材100には着脱可能なベース裏板５が配設できるように穴が開けられ、その穴部にベース裏板５を配設し、ネジ４にてベース３に固定される。
【００１９】
ベース３の内部には、ヒータ２の近傍に位置して蒸気室すなわち気化室６が形成され、この気化室６に連通する噴出孔７がベース３の下面に設けられる。気化室６は、ベース３に形成されず別体であってもよい。また、８はベース３の上部に設けられたカバーであり、９はカバー８の上方に設けられたハンドルであり、ハンドル９の前方には、水タンクに相当する容器たるカセットタンク10がアイロン本体１に対し、着脱可能に設けられる。
【００２０】
カセットタンク10は、例えば合成樹脂で形成され、上面から見た形状が略Ｕ字状で、その両側がハンドル９の前端部側から後端部側の両端にかけて跨るように配置されている。11は、カセットタンク10の前部に設けられた開閉自在な注水口蓋であり、ここからカセットタンク10内に水を収容し、かつ、カセットタンク10内の不用水を廃棄できるようになっている。また、カセットタンク10のロック機構は、ハンドル９の一側面にやや突出して、タンクロック釦12が設けられており、このタンクロック釦12を操作することにより上下動する昇降体13が、弾性部材たるスプリング14により常時下方に付勢されている。そして、昇降体13の下部に突設したロック部15が、カセットタンク10の傾斜する上面に形成した凹部16に係止する構成になっている。
【００２１】
カセットタンク10の内部には、弁装置17が設けられており、この弁装置17の下部には、気化室６に連通する導水路たる通水継手18が設けられている。弁装置17は、支持体19により、直立状態かつ摺動自在に支持されたスチーム開閉体たるスチーム開閉棒20と、支持体19の凹底面上に設けられたパッキン21と、このパッキン21を常時、支持体19の凹底面側に付勢して、密着状態を保護する付勢部材としてのスプリング22とを備え、スチーム開閉棒20の下端部に形成した弾性を有する弁体66は、カセットタンク10の底面に形成した流出孔23の中心部に臨んで設けられている。また、通水継手18とベース３との間には、ベース３からの熱を遮断する遮熱板24が介在している。この遮熱板24の下方には、気化室６の上部開口部を覆うようにして、蓋体25が設けられる。26は、通水継手18の途中に設けられたノズルであり、このノズル26を開閉する開閉弁27が、前記遮熱板24及び蓋体25に共通して設けられた開口部32より、ベース３の凹部33に向けて下方に突出している。このベース３の凹部33には、感熱応動体に相当する反転式のバイメタル34が収容されており、凹部33の近傍にある気化室６が所定の温度に達すると、バイメタル34が凹部33の内部で反転し、スプリング30の付勢に抗して開閉弁27を押し上げることにより、ノズル26を開くよう構成されている。
【００２２】
前記ハンドル９は、把持部に相当する取手部35の他に、この取手部35の下方に位置するアイロン本体１の腹部36と取手部35との間に、手を差し入れるための空洞37を形成してある。なお、ここでいう腹部とは、カセットタンク10の両側を除く取手部35に対向したアイロン本体１の平坦状の中央上面部を指すものである。
【００２３】
ハンドル９の上部には、ベース３の設定温度を変えるための設定釦39が配設されており、ハンドル９の内部には、ヒータ２を適宜通断電することにより、ベース３を所定の温度に制御する温度制御装置42が設けられる。この温度制御装置42は、具体的には、前記設定釦39のスイッチ部43や複数の発光ダイオードすなわちＬＥＤ40の他に、温度設定の切替時や不適温状態を使用者に報知する報知手段としてのブザー44や、現在の設定温度を記憶保持し、設定釦39の受付けを可能にする２次電池あるいはコンデンサなどの蓄電装置45などを、基板46の上面に実装して構成される。ＬＥＤ40の光は、取手部35を透過し、取手部35の上部に配置されるカセットタンク10の一部に配設された温度表示部41によって、現在の設定温度を表示する。47は、基板46の後方に形成された基板支持部であり、この基板支持部47に支持されて、別の基板48がアイロン本体１内の後方に設けられている。また、49はアイロン本体１の後部外郭をなす後カバーであり、後カバー49の下側に形成した凹部50には、アイロン本体１に電力を供給する一対の給電端子51が突出した状態で取付けられている。
【００２４】
一方、52は、アイロン本体１の載置可能な載置台であり、これは上面が一方向の傾斜した載置部53の傾斜下端側に受部54が突設される。受部54には、給電端子51に対応して、板バネ状の電源接点55が設けられており、アイロン本体１を載置台52の載置部53に載置すると、給電端子51が電源接点55に当接して、コンセント（図示せず）に接続した電源コード56からアイロン本体１内に、必要に応じて電源供給が行なわれるようになっている。
【００２５】
次に、図６に基づき電気的な構成を説明する。温度制御装置42は、具体的には、例えばマイクロコンピュータなどで構成され、当該マイクロコンピュータの記憶装置（図示せず）に記憶されたプログラムの制御シーケンスに従って、一連の動作を行うように構成されている。温度制御装置42の入力側には、設定釦39の他に、ベース３の温度を検知する例えばサーミスタなどの温度検知手段57と、アイロン本体１が載置台52に載置されたか否かを判断するアイロン載置検知手段58などが各々接続される。
【００２６】
また、温度制御装置42の出力側には、ヒータ２，温度表示部41，ブザー44などが接続される。温度制御装置42は、アイロン本体１が載置台52に載置されているか否かに拘らず、設定釦39からの操作信号を受けて、ベース３の設定温度を、例えばアクリルなどの温度にデリケートな繊維（耐熱温度１００℃以下）のための温度を意味する「デリケート」、低温を意味する「低」、中程度の温度を意味する「中」、及び高温を意味する「高」の４段階に切換え設定する温度設定手段59と、同じくアイロン本体１が載置台52に載置されているか否かに拘らず、設定釦39からの操作信号を受け付けて、アイロン本体１を切状態に設定する切状態設定手段60とを備えている。そして、本実施例では、設定釦39を１回押動操作する毎に、温度設定手段59または切状態設定手段60における各設定モードが、「切」→「デリケート」→「低」→「中」→「高」→「切」の順に、一段ずつ高い温度設定に切換わるようになっている。ただし、高温に設定されている場合は、設定釦39を操作すると切状態の設定モードになる。なお、本実施例のように、ベース３の設定温度を段階的ではなく、連続的に可変設定できるように温度設定手段59を構成してもよい。この場合、操作手段は押釦式のものではなく、例えばスライド式のスイッチなどを用いてもよい。また、ベース３の設定温度を切換える設定手段と、離脱中も、操作手段からの操作信号を受付けて、ベース３の設定温度を切換え設定できるような温度設定手段59を温度制御装置42に備えてあればよい。温度設定手段59または切状態設定手段60により、一旦設定された前記設定モードは、アイロン本体１の離脱中にバックアップ用の蓄電装置45により、所定時間保持記憶されるようになっている。温度制御装置42は、アイロン載置検知手段58により、アイロン本体１が、載置台52に載置されていることを検知すると、温度検知手段57で検知されるベース３の温度が、温度設定手段59で設定された設定温度に一致するように、加熱手段であるヒータ２を通断電制御する。また、温度制御装置42は、温度表示部41およびブザー44を制御する報知・表示制御手段61を備えており、アイロン本体１の載置時において、温度検知手段57で検知されるベース３の温度が、設定温度付近の適温範囲にあるときには、当該設定温度に対応する温度表示部41のＬＥＤ40を点灯状態にし、かつブザー44による報知を行なう一方、ベース３の温度が前記適温範囲以外にあるときには、設定温度に対応する温度表示部41のＬＥＤ40を点滅状態にし、ブザーによる報知は行なわないように構成されている。
【００２７】
一方、アイロン本体１が載置台52から離脱すると、載置台52からアイロン本体１側への電源供給が遮断されることにより、ヒータ２は断電状態となる。このとき、温度制御装置42は、蓄電装置45からの給電により、引き続き動作し、温度検知手段57により検知されるベース３の温度を監視するとともに、設定釦39による操作信号を受付ける。そして、このベース３の温度が、温度設定手段59で設定された設定温度付近の適温範囲よりも下がったとき、或いは、設定釦39を操作して、温度設定手段59における設定温度がそれまでよりも高温に切換えたときに、報知・表示制御手段61がブザー44或いは温度表示部41のＬＥＤ40を利用して、アイロン本体１の載置台52への載置を促す給電放置または表示を行なうように構成している。
【００２８】
ここで、本実施例におけるカセットタンク10の構造について、図１乃至図４、及び図７を参照して詳述する。カセットタンク10の内部には、このカセットタンク10から気化室６に対し、一時的に多量の水を圧送するためのポンプ装置62が設けられる。ポンプ装置62は、支持体19の後方寄りに形成した円筒状のシリンダー63と、このシリンダー63内の垂直方向に沿って摺動自在に設けられたピストン64と、ピストン64を手動で操作するための操作釦65とで概ね構成され、気化室６に連通する噴出孔７から通常のスチーム若しくは増量スチームを噴出するようになっている。操作釦65は、操作パネル38の上面より突出して押動操作可能に設けられており、カセットタンク10から気化室６に至る通水路中に設けた弁体66を、操作釦65の操作に応じて開閉する開閉制御部としての回転子67と、この回転子67の下方にあってスチーム開閉棒20の上部に連結し、操作釦65の押動位置に応じて、カセットタンク10の内部で上下動する継手68とを備えている。
【００２９】
回転子67は下面が開口した凹状に形成され、当該凹部に、ピストン64の上部に形成した棒体80が挿入し、その上端が当接している。ピストン64の下部に形成したフランジ部81は、シリンダ63の内周面に密着状態で当接しており、シリンダ63の底面および内周面と、ピストン64の下面とにより囲まれた水導入室82内に、ピストン64を上方に付勢するピストン付勢体としてのスプリング69が配設される。また、シリンダ63の上面と継手68との間にも、継手68ひいてはスチーム開閉捧20を上方に付勢する継手付勢体としてのスプリング70が設けられる。回転子67は、操作釦65と連動して操作釦65の押動力をピストンに伝達するとともに、操作釦65をその動作下端にまで押し下げると、カセットタンク10内に形成した係合部（図示せず）に係合してロック状態となり、操作釦65ひいてはピストン64をその位置に保持するように構成している。このとき、継手68および継手68に連結するスチーム開閉棒20は、スプリング70の付勢に抗して下方に移動し、スチーム開閉棒20の下端部にある弁体66が流出孔23を閉塞して、カセットタンク10から気化室６への水の供給を遮断する。一方、回転子67がロックした状態から、操作釦65をさらに下方へ押込むと、回転子67とカセットタンク10内の係合部との係合状態は解除され、シリンダ63内にあるスプリング69の弾性反発力により、ピストン64ひいては回転子67および操作釦65が押し上げられ、元の位置に復帰する。当該動作の途中で、スプリング70の弾性反発力も作用して、継手68が押し上げられ、スチーム開閉棒20の下端部にある弁体66が、流出孔23を開放して、カセットタンク10から気化室６への水の供給を可能にする。このように、操作釦65の押動操作によって、弁体66による流出孔23の開閉すなわちドライとスチームの切換えを行なうように構成している。
【００３０】
ポンプ装置62の下方には、それぞれ水導入室82に連通する流入口83と流出口84が形成される。カセットタンク10内の水をシリンダ63内に取り入れる流入口83内には、スプリング付きの逆止弁71が設けられるとともに、シリンダ63から気化室６に水を送り出す流出口84内にも、別のスプリング付きの逆止弁85が設けられる。そして、回転子67がロック状態とならない範囲内で、操作釦65を途中まで押込むと、流入口83内の逆止弁71が閉じる代わりに、流出口84内の逆止弁85が開いて、水導入室82内の水が流出口84から気化室６に吐き出される一方、操作釦65から指を離すと、スプリング69の弾性反発力が作用して、ピストン64ひいては回転子67および操作釦65が押し上げられ、流出口84内の逆止弁85が閉じる代わりに、流入口83内の逆止弁71が開いて、カセットタンク10内の水が流入口83を介して水導入室82内に収容される。このように、回転子67がロック状態とならない範囲で操作釦65を操作する間は、ポンプ装置62を利用して、一時的に気化室６に多量の水を送り出す所謂増量スチームができるように構成されている。なお、前記スプリング70は、増量スチームとと通常のスチーム・ドライ切換との誤動作をなくすため、スプリング68よりも荷重を大きく設定してある。なおここでは、アイロン本体１を水平状態にして使用するだけでなく、ハンガーなどに掛けたスーツなどの衣類に対し、アイロン本体１を略垂直にして、ポンプ装置62により衣類に増量スチームを噴射する使い方もある。
【００３１】
次に、図11のフローチャートに基づいて、上記構成のスチームアイロンにおける動作の説明をする。予め注水口蓋11から水をカセットタンク10内に収容するとともに、このカセットタンク10をハンドル９の前部から差し込むと、カセットタンク10の上面がスプリング14に抗してロック部15を押し上げ、最終的に凹部16にロック部が係止することで、カセットタンク10がアイロン本体１の所定位置にセットされる。次いで、ステップＳ１において、アイロン本体１を載置台52に載置した状態で、電源コード56をコンセント（図示せず）に差し込むと、載置台52の電源接点55からアイロン本体１内の温度制御装置42および蓄電装置45に電源が供給される。温度制御装置42においては、初期状態として切状態設定手段60による切状態の設定モードが先ず設定され、報知・表示制御手段61によって操作パネル38の「切」に対応するＬＥＤ40が点灯する。なお、この切状態では、安全のためにヒータ２への通電は行なわない。その後、ステップＳ２において、設定釦39を押動操作すると、設定モードは「切」から「デリケート」，「低」，「中」，「高」の順に切換わり、これに対応するＬＥＤ40が点灯する。そして、ステップＳ３にて、「切」以外の温度設定手段59の設定モードに切換わると、温度制御装置42によりヒータが通電される。以下、設定モードを「デリケート」に設定した場合について説明する。
【００３２】
温度制御装置42は、次のステップＳ４において、アイロン本体１が載置中であるか離脱中であるかをアイロン載置検知手段58により検知する。アイロン本体１が引き続き載置台52に載置される状態では、ベース３が温度設定手段59にて設定した温度に達するまで、ヒータ２によるベース３への加熱が行なわれる。「デリケート」設定は、耐熱温度１００℃以下の繊維を対象としているため、当該ベース３の設定温度を１００℃とし、温度検知手段57からの検知出力が１００℃を超えている場合は、ヒータ２による加熱を停止する。このとき、温度制御装置42は、ベース３が設定温度１００℃に近い適温範囲内であるか否かを、温度検知手段57からの検知出力により判断する（ステップＳ５）。そして、ベース３の温度が適温範囲を外れているときは、次のステップ６に移行して、設定温度に対応する温度表示部41のＬＥＤ40を点滅状態にし、ブザー44による報知は行なわないようにして、ベース３が不適温状態であることを使用者に知らせる。一方、前記ステップＳ５において、ベース３の温度が適温範囲内にあるときには、ステップＳ７に移行して、設定温度に対応する温度表示部41のＬＥＤ40を点灯状態にするとともに、ブザー44を一定時間鳴動させて、使用者にアイロン掛けが可能なことを報知する。そして、温度制御装置42は、アイロン本体１が載置台52に載置されている限り、ベース３の温度が適温範囲内に維持されるように、ヒータ２を通断電制御するとともに、ベース３の温度が適温か不適温であるかに拘らず、前述のステップＳ４の手順に戻る。
【００３３】
その後、ステップＳ４において、アイロン掛けのためにアイロン本体１を載置台52から離脱すると、載置台52からアイロン本体１側への電源供給が遮断され、ヒータ２は断電状態となる。温度制御装置42は、蓄電装置45からの給電により引き続き動作するが、次のステップＳ８において、ベース３の温度が適温範囲よりも下がったとき、或いは、設定釦39を操作することにより、温度設定手段59におけるそれまでよりも高温に切換わったときに、ブザー44或いはＬＥＤ40を利用して、アイロン本体１の載置台52への載置を促す給電報知または表示を行なう。そして、その後はステップＳ４の手順に再び戻る。
【００３４】
アイロン掛けを行なう場合、アイロン本体１の空洞37から手を差し入れた後、ハンドル９の取手部35を掌で抱えるようにして握る。この際取手部35の後端部の幅を略中央部より徐々に広げるとともに、高さを下げることによりアイロン掛け最中に、アイロン本体１が手から抜け出ないようにしてある。また、ベース３の先端部に対する目視を良好にするために、カセットタンク10の前端面は、アイロン本体１の後方側に向けて比較的大きく倒れるように傾斜させてあるが、本実施例におけるカセットタンク10の両側は、十分な水量を収容できるだけの高さを確保してあるので、従来のような水タンクの容量不足を解消することが可能になる。
【００３５】
アイロン掛け中にドライ動作を行うには、図８に示すように、スプリング69，70の弾性に抗して、カセットタンク10内の係合部に回転子67が係合する位置まで、操作パネル38にある操作釦65を押し下げる。すると、操作釦65の動作下端で回転子67によりロックされ、他の回転子67，継手68およびピストン64なども操作釦65により押込まれた位置に保持される。この操作釦65を押し下げる動作中に、回転子67の下部に継手68が接して、継手68が下方に移動すると、継手68に連結するスチーム開閉棒20も下方に移動し、スチーム開閉棒20の下端部にある弁体66の下端が流出孔23を閉塞するとともに、弁体66の外周面が流出孔23より放射状に広がる円錐面を密着状態で閉塞する。これにより、カセットタンク10から弁装置17を経て気化室６に供給する水の通路が確実に遮断される。また、回転子67により操作釦65がロックされると、カセットタンク10内にあるピストン64も動かなくなるので、ポンプ装置62による気化室６への水の供給も遮断される。こうして、カセットタンク10から気化室６への水の供給が全て遮断され、噴出孔７からはスチームが噴出しないドライ動作となる。
【００３６】
一方、ドライ動作から通常のスチーム動作への切換えを行なうには、再度、操作釦65を押し下げて、回転子67による操作釦65のロック状態を解除する。こうすると、図９に示すようにシリンダ63内にあるスプリング69の弾性反発力が作用して、ピストン64が押し上げられるとともに、回転子67や操作釦65も同時に押し上げられる。回転子67によるロック状態の解除と連動して、継手68の下方にあるスプリング70が継手68を持ち上げ、流出孔23を開く方向に弁体66およびスチーム開閉棒20を操作する。これにより、ポンプ装置62は作動しないものの、カセットタンク10から弁装置17を経て気化室６に供給する水の通路が確保され、ヒータ２により気化室６で加熱された水が、噴出孔７からスチームとして噴出する。このときのスチーム量は、弁装置17による水の通過量で規定された通常のものとなる。
【００３７】
また、通常よりも多量のスチームを噴出孔７から一時的に噴出する増量スチーム動作は、図10に示すように、回転子67がロック状態とならない範囲内で操作釦65により、回転子67を介して、ピストン64をシリンダ63内でスプリング69の弾性反発力を利用して、摺動自在に操作することで行なわれる。具体的には、回転子67がロック状態とならない範囲内で、操作釦65を途中まで押込むと、流入口83内の逆止弁71が閉じるとともに、流出口84から気化室６に吐き出される。その後、操作釦65から指を離すと、スプリング69の弾性反発力が作用して、ピストン64ひいては回転子67および操作釦65が押し上げられ、流出口84内の逆止弁85が閉じる代わりに、流入口83内の逆止弁71が開いて、カセットタンク10内の水が流入口83を介して、水導入室82内に収容される。この操作釦65の操作を繰り返せば、ポンプ装置62を利用して、一時的に気化室６に多量の水を送り出すことができる。
【００３８】
以上のように本実施例では、加熱手段としてのヒータ２を有するベース３を備えたアイロンにおいて、ボロンを含有するメッキ皮膜としての複合メッキ皮膜103を形成したかけ面部材100をベース３の下面に設けている。
【００３９】
このようにすると、かけ面部材100にボロンを含有する複合メッキ皮膜103を形成しているため、かけ面102の表面硬度が大幅に強化され、磨耗や傷に強いかけ面とすることができる。従って、耐磨耗，耐傷付きに優れたアイロンを提供することができる。
【００４０】
また本実施例では、かけ面部材100は熱伝導性の良い金属プレートからなるよう構成している。
【００４１】
このようにすると、かけ面部材100を熱伝導性の良い金属プレートとしているため、ベース３との温度差が生じにくく、かけ面102温度をアイロンの設定温度と略同じにすることができる。従って、耐磨耗，耐傷付きに優れたアイロンを提供することができると共に、かけ面102の温度変化を少なくすることができ、アイロン掛けの際に衣服のしわの伸び良好となる。
【００４２】
さらに本実施例では、かけ面部材100となる前記熱伝導性の良い金属プレートをアルミニウム又は銅としている。
【００４３】
このようにすると、熱伝導性の良い金属プレートを一般的なアルミニウム，銅とすることによりコストをかけずに耐磨耗，耐傷付きにすぐれたアイロンを提供できる。従って、コストを掛けずに耐磨耗，耐傷付きに優れたアイロンを提供することができる。
【００４４】
また本実施例では、かけ面部材100をダイカスト品としている。
【００４５】
このようにすると、かけ面部材100をダイカスト品にすることによりベース３との締結に用いる締結部材101をかけ面部材100と一体化することができコスト低減ができる。従って、コストを掛けずに耐磨耗，耐傷付きに優れたアイロンを提供することができる。
【００４６】
なお、本発明は、上記実施例に限定されるものではなく、本発明の趣旨を逸脱しない範囲で変更可能である。着脱式のカセットタンク10に限らず、上記ロック機構を備えていない固定式の水タンクであってもよい。また、水タンクを備えないドライ専用のアイロンであってもよい。また、コードレスアイロンに限らず、コード付きのアイロンであってもよい。
【図面の簡単な説明】
【００４７】
【図１】本発明の第１実施例におけるアイロン本体の縦断面図である。
【図２】同上、アイロン本体を載置台に載置した状態の縦断面図である。
【図３】同上、アイロン本体の側面図である。
【図４】同上、アイロン本体の平面図である。
【図５】同上、かけ面部材をベースに取り付ける前の要部縦断面図である。
【図６】同上、電気的構成を示すブロック図である。
【図７】同上、アイロン本体の要部を示す縦断面図である。
【図８】同上、ドライ設定時におけるアイロン本体の要部を示す縦断面図である。
【図９】同上、スチーム設定時におけるアイロン本体の要部を示す縦断面図である。
【図１０】同上、増量スチーム設定時におけるアイロン本体の要部を示す縦断面図である。
【図１１】同上、動作手順を示すフロー図である。
【図１２】従来例におけるアイロン本体の平面図である。
【符号の説明】
【００４８】
３  ベース
100  かけ面部材（部材）
103  複合メッキ皮膜（皮膜）
【図１】
2006015054.tif 000003
【図２】
2006015054.tif 000004
【図３】
2006015054.tif 000005
【図４】
2006015054.tif 000006
【図５】
2006015054.tif 000007
【図６】
2006015054.tif 000008
【図７】
2006015054.tif 000009
【図８】
2006015054.tif 000010
【図９】
2006015054.tif 000011
【図１０】
2006015054.tif 000012
【図１１】
2006015054.tif 000013
【図１２】
2006015054.tif 000014